(57)【要約】【課題】効率的かつ正確性の高い検層作業が可能な地下水マルチ検層装置及び検層方法を提供する。【解決手段】地盤中の地下水を吸い上げる揚水手段と、地下水の流量を計測する流量計測手段と、地下水の温度を計測する温度計測手段と、地下水の電気伝導度を計測する電気伝導度計測手段と、流量計測手段、温度計測手段及び電気伝導度計測手段が搭載された検層装置本体と、該検層装置本体を昇降し得る昇降制御手段と、流量計測手段、温度計測手段及び電気伝導度計測手段により取得された計測データを記憶する記憶手段を備え、昇降制御手段による少なくとも１回の検層装置本体の上昇又は下降により、地盤中の地下水の流量、温度及び電気伝導度を計測し得る。【選択図】図１
2020186918.tif 000002
【特許請求の範囲】
【請求項１】
地盤中の地下水を吸い上げる揚水手段と、
地下水の流量を計測する流量計測手段と、
地下水の温度を計測する温度計測手段と、
地下水の電気伝導度を計測する電気伝導度計測手段と、
前記流量計測手段、前記温度計測手段及び前記電気伝導度計測手段が搭載された検層装置本体と、
該検層装置本体を昇降し得る昇降制御手段と、
前記流量計測手段、前記温度計測手段及び前記電気伝導度計測手段により取得された計測データを記憶する記憶手段、
を備え、
前記昇降制御手段による少なくとも１回の検層装置本体の上昇又は下降により、地盤中の地下水の流量、温度及び電気伝導度を計測し得ることを特徴とする地下水マルチ検層装置。
【請求項２】
計測データを用いて地盤中の地下水の状態を判別する判別手段を更に備え、
前記判別手段は、前記電気伝導度計測手段の計測データを用いて、地盤中の地下水の電気的な特性を判別することを特徴とする請求項１に記載の地下水マルチ検層装置。
【請求項３】
計測データを用いて地盤中の地下水の状態を判別する判別手段を更に備え、
前記判別手段は、前記温度計測手段の計測データを用いて、地盤中の地下水の温度特性を判別することを特徴とする請求項１又は２に記載の地下水マルチ検層装置。
【請求項４】
前記検層装置本体に、地下水の圧力を計測する圧力計測手段が設けられたことを特徴とする請求項１〜３の何れかに記載の地下水マルチ検層装置。
【請求項５】
前記昇降制御手段は、前記検層装置本体を略一定の速度で昇降させることを特徴とする請求項１〜４の何れかに記載の地下水マルチ検層装置。
【請求項６】
地盤中の地下水を吸い上げる揚水ステップと、
地下水の流量を計測する流量計測ステップと、
地下水の温度を計測する温度計測ステップと、
地下水の電気伝導度を計測する電気伝導度計測ステップと、
前記流量計測ステップ、前記温度計測ステップ及び前記電気伝導度計測ステップが行われる検層装置本体を昇降する昇降制御ステップと、
前記流量計測ステップ、前記温度計測ステップ及び前記電気伝導度計測ステップにより取得された計測データを記憶する記憶ステップ、
を備え、
前記昇降制御ステップによる少なくとも１回の検層装置本体の上昇又は下降により、地盤中の地下水の流量、温度及び電気伝導度を計測し得ることを特徴とする地下水マルチ検層方法。
【請求項７】
前記昇降制御ステップは、前記検層装置本体を略一定の速度で昇降させることを特徴とする請求項６に記載の地下水マルチ検層方法。
【発明の詳細な説明】
【技術分野】
【０００１】
本発明は、地盤内における帯水層の浸透特性を把握する技術に関するものである。
【背景技術】
【０００２】
近年、地下水を用いた再生熱エネルギーの利活用として、ビル空調の熱需要を賄うために、熱利用効率の良い地中熱利用システムの導入に期待が高まっており、そのため、地下水が含まれる帯水層を効率よく観測する技術が望まれている。
地下水検層を行う技術としては、電気伝導度計を用いる検層や、高感度温度測定器を坑井内に降ろして行う温度検層が知られている。
【０００３】
また、外周面に弾性パッカーを有し、水流量センサを内蔵した内部通水型のゾンデを地下掘削孔内に挿入して、地下水を揚水しながら、地下水の流水状況を検層する方法が知られている（特許文献１を参照）。
しかしながら、従来の検層では、流量と温度と電気伝導度を別々に測定しており、同時に１回で測定するといった検層が困難であった。また、上記特許文献１についても、水流量センサによる流水量の測定だけでは、精度の高い調査を行うことは困難であるという問題がある。
【先行技術文献】
【特許文献】
【０００４】
【特許文献１】特許第４００６８８４号公報
【発明の概要】
【発明が解決しようとする課題】
【０００５】
かかる状況に鑑みて、本発明は、効率的かつ正確性の高い検層作業が可能な地下水マルチ検層装置及び検層方法を提供することを目的とする。
【課題を解決するための手段】
【０００６】
上記課題を解決すべく、本発明の地下水マルチ検層装置は、下記昇降制御手段による少なくとも１回の検層装置本体の上昇又は下降により、地盤中の地下水の流量、温度及び電気伝導度を計測し得るものであり、下記手段等を備える。
１）地盤中の地下水を吸い上げる揚水手段、
２）地下水の流量を計測する流量計測手段、
３）地下水の温度を計測する温度計測手段、
４）地下水の電気伝導度を計測する電気伝導度計測手段、
５）流量計測手段、温度計測手段及び電気伝導度計測手段が搭載された検層装置本体、
６）該検層装置本体を昇降し得る昇降制御手段、
７）流量計測手段、温度計測手段及び電気伝導度計測手段により取得された計測データを記憶する記憶手段。
【０００７】
昇降制御手段による少なくとも１回の検層装置本体の上昇又は下降により、地盤中の地下水の流量、温度及び電気伝導度を計測し得ることにより、短時間で調査でき効率的な検層が可能となる。また、流量計測手段だけではなく、温度計測手段及び電気伝導度計測手段による計測も行うため、精度の高い検層が可能である。
【０００８】
本発明の地下水マルチ検層装置は、計測データを用いて地盤中の地下水の状態を判別する判別手段を更に備え、判別手段は、電気伝導度計測手段の計測データを用いて、地盤中の地下水の電気的な特性を判別することでもよい。電気的な特性とは例えば、塩分濃度が挙げられるがこれに限られない。
地下水の電気的な特性の判別とは、例えば、検層装置本体が上昇又は下降するに連れて、電気伝導度が上昇していれば、電気伝導度の高い地下水が流入したことが分かるというものである。また、電気伝導度が低下していれば、電気伝導度の低い地下水が流入したことが分かることとなる。判別手段はコンピュータに設けられ、記憶手段と通信して計測データを取得し、判別を行う。
【０００９】
本発明の地下水マルチ検層装置は、計測データを用いて地盤中の地下水の状態を判別する判別手段を更に備え、判別手段は、温度計測手段の計測データを用いて、地盤中の地下水の温度特性を判別することでもよい。
地下水の温度特性の判別とは、例えば、地下水の温度が急激に上昇していれば、温度の高い地下水が流入した可能性があるというものである。また、地下水の温度が急激に低下していれば、温度の低い地下水が流入した可能性があることとなる。ここでも判別手段はコンピュータに設けられ、記憶手段と通信して計測データを取得し、判別を行う。
【００１０】
本発明の地下水マルチ検層装置は、検層装置本体に、地下水の圧力を計測する圧力計測手段が設けられたことが好ましい。
例えば、一定の深度の箇所に別途、基準となる水中の圧力を計測する圧力計等を設置し、計測された基準となる圧力及び深度と、昇降制御手段から得られた深度を基に圧力を算出する。算出された数値と圧力計測手段により計測された圧力の数値を比較して、圧力計測手段により計測された圧力の数値が高く、一定の閾値を超えたと判定される場合には、検層装置の性能限界を超えた地下水が検層装置本体内に流入し、正常な試験が行えない状態となっていることが分かる。すなわち、検層装置が圧力計測手段を備えることにより、正常な試験が行われているかどうかをチェックすることが可能となる。
【００１１】
本発明の地下水マルチ検層装置において、昇降制御手段は、検層装置本体を略一定の速度で昇降させることが好ましい。
略一定の速度で検層装置本体の昇降を行うことにより、より精度の高い調査が可能となる。
【００１２】
本発明の地下水マルチ検層方法は、昇降制御ステップによる少なくとも１回の検層装置本体の上昇又は下降により、地盤中の地下水の流量、温度及び電気伝導度を計測し得るものであり、下記ステップを備える。
１）地盤中の地下水を吸い上げる揚水ステップ、
２）地下水の流量を計測する流量計測ステップ、
３）地下水の温度を計測する温度計測ステップ、
４）地下水の電気伝導度を計測する電気伝導度計測ステップ、
５）流量計測ステップ、温度計測ステップ及び電気伝導度計測ステップが行われる検層装置本体を昇降する昇降制御ステップ、
６）流量計測ステップ、温度計測ステップ及び電気伝導度計測ステップにより取得された計測データを記憶する記憶ステップ。
【００１３】
本発明の地下水マルチ検層方法において、昇降制御ステップは、検層装置本体を略一定の速度で昇降させることが好ましい。
上述したように、略一定の速度で検層装置本体の昇降を行うことにより、より精度の高い調査が可能となる。
【発明の効果】
【００１４】
本発明の地下水マルチ検層装置及び検層方法によれば、効率的かつ正確性の高い検層作業が可能になるといった効果がある。
【図面の簡単な説明】
【００１５】
【図１】実施例１の地下水マルチ検層装置の機能ブロック図
【図２】実施例１の地下水マルチ検層装置の概略構成図
【図３】地下水検層のイメージ図
【図４】実施例１の地下水マルチ検層装置を用いた地下水検層の作業フロー図
【図５】実施例１の地下水マルチ検層装置による計測フロー図
【図６】揚水量が０Ｌ／ｍｉｎの流量検層結果を示すグラフ
【図７】揚水量が１１６Ｌ／ｍｉｎの流量検層結果を示すグラフ
【図８】揚水量が２８０Ｌ／ｍｉｎの流量検層結果を示すグラフ
【図９】温度検層結果を示すグラフ
【図１０】電気伝導度検層結果を示すグラフ
【図１１】実施例２の地下水マルチ検層装置の概略構成図
【発明を実施するための最良の形態】
【００１６】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１７】
図１は、実施例１の地下水マルチ検層装置（以下、「検層装置」とする。）の機能ブロック図を示している。図１に示すように、検層装置１００は、検層装置本体１０１、揚水手段１０５、昇降制御手段１０６及び記憶手段１０７から成り、検層装置本体１０１には、流量計測手段１０２、温度計測手段１０３及び電気伝導度計測手段１０４が設けられている。
揚水手段１０５は、ケーシング内の地下水を吸い上げるものであり、具体的にはポンプが用いられる。検層装置本体１０１は、流量計測手段１０２だけではなく、温度計測手段１０３及び電気伝導度計測手段１０４が設けられていることにより、一度の試験で複数種類の計測データを取得することが可能となっている。昇降制御手段１０６は、検層装置本体１０１を制御するものであり、コンピュータや、プーリー、ウインチ等から成る。記憶手段１０７は、コンピュータと有線又は無線により通信し、検層装置本体１０１により得られた検層結果を記憶するものである。
検層を行う際には、揚水手段１０５により揚水を行いながら、昇降制御手段１０６により検層装置本体１０１を制御して検層を行う。
なお、ここでは図示しないが、計測データを用いて地盤中の地下水の状態を判別する判別手段が備えられる構成でもよい。判別手段とは、電気伝導度計測手段の計測データを用いて、地盤中の地下水の電気的な特性を判別するものや、温度計測手段の計測データを用いて、地盤中の地下水の温度特性を判別するものが挙げられる。判別手段はコンピュータに設けられ、記憶手段１０７と通信して計測データを取得し、判別を行う。
【００１８】
図２は、実施例１の地下水マルチ検層装置の概略構成図を示している。図２に示すように、検層装置１は、地層２０中に設置されたケーシング７ａ及びスクリーン７ｂの内側に検層装置本体２を挿入して検層を行うものである。検層装置１は、検層装置本体２、揚水ポンプ６、コンピュータ１４及びサーバ１５から成る。ケーブル８は、プーリー１６を介し、ウインチ１７に取り付けられている。ウインチ１７は、有線又は無線によりコンピュータ１４と接続されており、コンピュータ１４を操作することにより、ウインチ１７を制御して、ケーブル８の先に取り付けられた検層装置本体２を昇降させる構造となっている。
検層装置本体２には、流量計３、電気伝導度計５及び温度計４が設けられている。検層装置本体２の底部には通孔９ａが設けられ、検層装置本体２の上方の側壁には通孔９ｂが設けられており、地下水１８が通孔９ａから流入し、検層装置本体２に設けられた流量計３、電気伝導度計５及び温度計４によりセンシングが行われた後、通孔９ｂから流出する構造となっている。また、検層装置本体２の外周面上にはスポンジパッカー１０が設けられており、水漏れを防止し得る構造である。
【００１９】
揚水ポンプ６には、配管１３ａの一端が接続され、他端はケーシング７ａ内に深度ＧＬ−８ｍ付近まで挿入されている。揚水ポンプ６とノッチタンク１２は、配管１３ｂにより接続され、揚水ポンプ６とノッチタンク１２の間には、揚水量を計測するための自記流量計１１が取り付けられている。揚水ポンプ６にはコック６ａが取り付けられており、コック６ａを操作することにより、配管１３ａから吸い上げる地下水の流量を調整することが可能である。
コンピュータ１４は、有線又は無線によりサーバ１５と接続されており、流量計３、温度計４及び電気伝導度計５によりセンシングされたデータを記憶することができる。
【００２０】
図３は、地下水検層のイメージ図を示している。図３に示すように、地層は、上層から第１砂質土層２１ａ、第１粘性土層２２ａ、第１礫質土層（第１帯水層）２３ａ、第２粘性土層２２ｂ、第２砂質土層２１ｂ、第２礫質土層（第２帯水層）２３ｂ、第３粘性土層２２ｃ、第３砂質土層２１ｃ、第３礫質土層（第３帯水層）２３ｃ、第４粘性土層２２ｄの順に形成されている。ケーシング７ａは、砂質土層（２１ａ〜２１ｃ）及び粘性土層（２２ａ〜２２ｄ）に該当する箇所に設置され、礫質土層（帯水層）（２３ａ〜２３ｃ）にはスクリーン７ｂが設置されている。ケーシング７ａとは異なり、スクリーン７ｂには複数の孔が設けられており、地下水１８が流入し得る構成となっている。なお、ケーシング７ａ及びスクリーン７ｂは、硬質ポリ塩化ビニル管で形成されている。
【００２１】
図４は、実施例１の地下水マルチ検層装置を用いた地下水検層の作業フロー図を示している。図４に示すように、まず、検層装置本体２をケーシング７ａの孔底まで挿入する（ステップＳ０１）。次に、揚水ポンプ６を用いて揚水を行う（ステップＳ０２）。コンピュータ１４を操作してウインチ１７を作動し、検層装置本体２を略一定の速度で上昇させながら検層を行う（ステップＳ０３）。なお、本実施例の検層試験では、２〜５ｃｍ／ｓの低速で上昇させ検層を行っている。検層により取得された計測データをサーバ１５に記憶する（ステップＳ０４）。
【００２２】
図５は、実施例１の地下水マルチ検層装置による計測フロー図を示している。図５に示すように、まず、流量計３により帯水層から流れ出る地下水の流量を計測する（ステップＳ１１）。次に、電気伝導度計５により電気伝導度を計測し（ステップＳ１２）、温度計４により温度を計測する（ステップＳ１３）。流量、電気伝導度及び温度の計測は、１回の試験で同時に行うことができればよく、計測の順序は上記順序に限られるものではない。
【００２３】
（流量検層試験について）
本発明の地下水マルチ検層装置を用いた流量検層試験について説明する。下記表１は、試験に用いた測定孔の仕様を示している。測定孔は、ケーシング７ａ及びスクリーン７ｂから成る。
【００２４】
【表１】
2020186918.tif 000003
【００２５】
上記表１に示すように、第１帯水層２３ａの深度は、ＧＬ−１３ｍ〜ＧＬ−２５．５ｍであることから、スクリーン７ｂをＧＬ−１１．４５ｍ〜ＧＬ−２５．１５ｍの位置に設けている。
第２帯水層２３ｂの深度は、ＧＬ−３０ｍ〜ＧＬ−３８．９ｍであることから、スクリーン７ｂをＧＬ−２９．１ｍ〜ＧＬ−３９．８５ｍの位置に設けている。また、第３帯水層２３ｃの深度は、ＧＬ−４８ｍ〜ＧＬ−６１ｍであることから、スクリーン７ｂをＧＬ−４７．７ｍ〜ＧＬ−６１．５ｍの位置に設けている。
【００２６】
次に、流量検層試験からの透水係数解析法について説明する。下記式１は、流量計による未固結地盤の透水係数の計算式を示している。下記式１において、Ｑは揚水流量（ｍ３／ｓ）、ｋは透水係数（ｍ／ｓ）、ｂは帯水層の層厚（ｍ）、ｓは水位低下量（ｍ）、ｒは揚水井の半径（ｍ）を示している。
【００２７】
【数１】
2020186918.tif 000004
【００２８】
試験井内の水位（ｈ０）を低下させ、孔内の孔底から水面までの流速を計測する。その時の各帯水層の上下端の流量差がその帯水層からの流出量である。計測された試験孔内の流量から地盤の透水係数を求めるのは、地盤工学会土質調査法より上記式１としたものである。
【００２９】
（揚水量が０Ｌ／ｍｉｎの場合）
図６は、揚水量が０Ｌ／ｍｉｎのフローメータ検層結果を示すグラフである。なお、第１帯水層２３ａ及び第２帯水層２３ｂは、上下２層に分かれている。
図６に示すように、揚水量が０Ｌ／ｍｉｎの場合においては、第３帯水層２３ｃ、第２帯水層２３ｂ、第１帯水層２３ａの順に検層装置本体を上昇させた結果、流量は−５〜＋５Ｌ／ｍｉｎの範囲に収まっており、殆ど流量の変化が無いことが分かる。
【００３０】
（揚水量が１１６Ｌ／ｍｉｎの場合）
下記表２は、揚水量が１１６Ｌ／ｍｉｎのフローメータ検層結果を示している。また、図７は、揚水量が１１６Ｌ／ｍｉｎのフローメータ検層結果をグラフにしたものである。
【００３１】
【表２】
2020186918.tif 000005
【００３２】
透水係数は、直線３１ａ〜３１ｅで示す流量の変化の大きい箇所について、深度と流量の各上限及び下限値を基に算出を行った。具体的には、図７に示すように、第１帯水層２３ａの上層は直線３１ａ、第１帯水層２３ａの下層は直線３１ｂ、第２帯水層２３ｂの上層は直線３１ｃ、第２帯水層２３ｂの下層は直線３１ｄ、そして第３帯水層２３ｃは直線３１ｅで示す範囲について算出を行った。
上記表２に示すように、第１帯水層２３ａの上層は、深度がＧＬ−１５．６ｍ〜ＧＬ−１４．２ｍであり、流量は８７．８〜１１２．６Ｌ／ｍｉｎ、透水係数は９．５Ｅ−０５ｍ／ｓとなった。第１帯水層２３ａの下層は、深度がＧＬ−２４．１ｍ〜ＧＬ−１５．６ｍであり、流量は６５．１〜８７．８Ｌ／ｍｉｎ、透水係数は２．５Ｅ−０５ｍ／ｓとなった。また、第１帯水層２３ａの上層と下層の透水係数の平均値は、４．６Ｅ−０５ｍ／ｓである。
第２帯水層２３ｂの上層は、深度がＧＬ−３３．３ｍ〜ＧＬ−３０．４ｍであり、流量は３５．８〜６０．４Ｌ／ｍｉｎ、透水係数は７．６Ｅ−０５ｍ／ｓとなった。第２帯水層２３ｂの下層は、深度がＧＬ−３８．３ｍ〜ＧＬ−３６．２ｍであり、流量は２３〜３５．８Ｌ／ｍｉｎ、透水係数は４．８Ｅ−０５ｍ／ｓとなった。また、第２帯水層２３ｂの上層と下層の透水係数の平均値は、５．６Ｅ−０５ｍ／ｓである。
第３帯水層２３ｃは、深度がＧＬ−６０．３ｍ〜ＧＬ−５４．１ｍであり、流量は０〜１９．４Ｌ／ｍｉｎ、透水係数は３．１Ｅ−０５ｍ／ｓとなった。
【００３３】
以上より、揚水量が１１６Ｌ／ｍｉｎの場合においては、第１帯水層２３ａの上層や第２帯水層２３ｂの上層が、透水性が良いことが分かる。
また、図７に示すように、第２帯水層２３ｂの上層と下層の間には、流量の変化が殆ど見られない箇所が存在するため、不透水層が存在することが分かる。
【００３４】
（揚水量が２８０Ｌ／ｍｉｎの場合）
下記表３は、揚水量が２８０Ｌ／ｍｉｎのフローメータ検層結果を示している。また、図８は、揚水量が２８０Ｌ／ｍｉｎのフローメータ検層結果をグラフにしたものである。
【００３５】
【表３】
2020186918.tif 000006
【００３６】
ここでも透水係数は、直線３１ｆ〜３１ｊで示す流量の変化の大きい箇所について、深度と流量の各上限及び下限値を基に算出を行った。具体的には、図８に示すように、第１帯水層２３ａの上層は直線３１ｆ、第１帯水層２３ａの下層は直線３１ｇ、第２帯水層２３ｂの上層は直線３１ｈ、第２帯水層２３ｂの下層は直線３１ｉ、そして第３帯水層２３ｃは直線３１ｊで示す範囲について算出を行った。
上記表３に示すように、第１帯水層２３ａの上層は、深度がＧＬ−１８．７ｍ〜ＧＬ−１３．８ｍであり、流量は１９８．６〜２６７Ｌ／ｍｉｎ、透水係数は４．４Ｅ−０５ｍ／ｓとなった。第１帯水層２３ａの下層は、深度がＧＬ−２４．８ｍ〜ＧＬ−１８．７ｍであり、流量は１６６．８〜１９８．６Ｌ／ｍｉｎ、透水係数は１．８Ｅ−０５ｍ／ｓとなった。また、第１帯水層２３ａの上層と下層の透水係数の平均値は、３．２Ｅ−０５ｍ／ｓである。
第２帯水層２３ｂの上層は、深度がＧＬ−３３．４ｍ〜ＧＬ−３０．４ｍであり、流量は９６．２〜１５７．９Ｌ／ｍｉｎ、透水係数は６．１Ｅ−０５ｍ／ｓとなった。第２帯水層２３ｂの下層は、深度がＧＬ−３８．４ｍ〜ＧＬ−３６．３ｍであり、流量は６７．３〜９０．９Ｌ／ｍｉｎ、透水係数は２．９Ｅ−０５ｍ／ｓとなった。また、第２帯水層２３ｂの上層と下層の透水係数の平均値は、４．４Ｅ−０５ｍ／ｓである。
第３帯水層２３ｃは、深度がＧＬ−６０．２ｍ〜ＧＬ−５３．６ｍであり、流量は０〜５８．１Ｌ／ｍｉｎ、透水係数は３．１Ｅ−０５ｍ／ｓとなった。
【００３７】
以上より、揚水量が２８０Ｌ／ｍｉｎの場合においても、１１６Ｌ／ｍｉｎの場合と同様に、第１帯水層２３ａの上層や第２帯水層２３ｂの上層が、透水性が良いことが分かる。
また、図８に示すように、第２帯水層２３ｂの上層と下層の間に不透水層が存在するのも同様である。
【００３８】
（温度検層試験について）
図９は、温度検層結果を示すグラフである。図９に示すように、揚水量が１１６Ｌ／ｍｉｎと２８０Ｌ／ｍｉｎのいずれの場合においても、水温はほぼ一定であり、揚水開始してからの温度では０．５℃程度の振れ幅である。しかし、振れ幅は小さいが、例えば、第２帯水層２３ｂの上層、第２帯水層２３ｂの上層と下層の間、第２帯水層２３ｂの下層の３つにつき、流量計を用いて計測した図７又は図８と類似した変化を示しており、帯水層の違いを反映しているといえる。
なお、第２帯水層２３ｂの下層において、スクリーンの下方部ではあまり変化は見られず、中間部において急激な温度変化が見られるのは、スクリーンが下方まで設置されていても、実際には、下方部から中間部までにおいては、地下水の流入がほとんどなかったことを示している。
【００３９】
（電気伝導度検層試験について）
図１０は、電気伝導度検層結果を示すグラフである。図１０に示すように、電気電導度は１〜４ｍＳ／ｃｍの範囲内にある。揚水量が１１６Ｌ／ｍｉｎと２８０Ｌ／ｍｉｎのいずれの場合においても、電気伝導度につき明確な変化点が見られる。
例えば、第１帯水層２３ａの上層においては、装置本体が上昇するに連れて電気伝導度が低下しており、電気伝導度の低い地下水が流入したことが分かる。逆に、第１帯水層２３ａの下層においては、装置本体が上昇するに連れて電気伝導度が上昇しており、電気伝導度の高い地下水が流入したことが分かる。
また、第２帯水層２３ｂの上層及び下層においては、装置本体が上昇するに連れて電気伝導度が低下しており、電気伝導度の低い地下水が流入したことが分かる。これに対して、第２帯水層２３ｂの上層と下層の間においては電気伝導度の変化は殆どなく、地下水の流入が極めて少ないものといえる。
さらに、第３帯水層２３ｃにおいては、急激に電気伝導度が上昇しており、電気伝導度の高い地下水が流入したことが分かる。
以上より、電気伝導度検層試験においては、流量計を用いて計測した図７又は図８に示す変化点と同様の箇所において明確な変化点が見られ、これらは、帯水層の違いを反映しているといえる。
【００４０】
（まとめ）
流量検層試験の結果と、温度検層試験及び電気伝導度検層試験の結果を比較すると、上記の通り、温度検層及び電気伝導度検層のいずれについても、流量検層において流量の変化が見られた箇所において、温度や電気伝導度の変化が見られることが分かった。
したがって、流量検層、温度検層及び電気伝導度検層を同時に行うことは、効率性及び正確性の観点から非常に有益であるといえる。
【実施例２】
【００４１】
図１１は、実施例２の地下水マルチ検層装置の概略構成図を示している。図１１に示すように、検層装置１ａは、実施例１の検層装置１とは異なり、圧力計（１９，２４）が設けられている。圧力計１９は検層装置本体２に設けられ、検層装置本体２に流入する地下水の圧力を計測する。また、圧力計２４は、基準となる水中の圧力を計測するものであり、深度がＧＬ−１０ｍの位置に配置され、コンピュータ１４と接続されている。
圧力計２４により計測された圧力及び深度と、昇降制御手段から得られた深度を基に通孔９ａ付近の圧力を算出する。算出された数値と圧力計１９により計測された圧力の数値を比較して、圧力計１９により計測された圧力の数値が高く、一定の閾値を超えたと判定される場合には、検層装置の性能限界を超えた地下水が検層装置本体２内に流入し、正常な試験が行えない状態となっていることが分かる。すなわち、検層装置１ａが圧力計１９を備えることにより、正常な試験が行われているかどうかをチェックすることが可能となっている。
【産業上の利用可能性】
【００４２】
本発明は、地下水検層用の装置及び方法として利用可能である。
【符号の説明】
【００４３】
１，１ａ，１００  検層装置
２  検層装置本体
３  流量計
４  温度計
５  電気伝導度計
６  揚水ポンプ
７ａ  ケーシング
７ｂ  スクリーン
８  ケーブル
９ａ，９ｂ  通孔
１０  スポンジパッカー
１１  自記流量計
１２  ノッチタンク
１３ａ，１３ｂ  配管
１４  コンピュータ
１５  サーバ
１６  プーリー
１７  ウインチ
１８  地下水
１９，２４  圧力計
２０  地層
２１ａ  第１砂質土層
２１ｂ  第２砂質土層
２１ｃ  第３砂質土層
２２ａ  第１粘性土層
２２ｂ  第２粘性土層
２２ｃ  第３粘性土層
２２ｄ  第４粘性土層
２３ａ  第１礫質土層（第１帯水層）
２３ｂ  第２礫質土層（第２帯水層）
２３ｃ  第３礫質土層（第３帯水層）
３１ａ〜３１ｊ  直線
１０１  検層装置本体
１０２  流量計測手段
１０３  温度計測手段
１０４  電気伝導度計測手段
１０５  揚水手段
１０６  昇降制御手段
１０７  記憶手段
【図１】
2020186918.tif 000007
【図２】
2020186918.tif 000008
【図３】
2020186918.tif 000009
【図４】
2020186918.tif 000010
【図５】
2020186918.tif 000011
【図６】
2020186918.tif 000012
【図７】
2020186918.tif 000013
【図８】
2020186918.tif 000014
【図９】
2020186918.tif 000015
【図１０】
2020186918.tif 000016
【図１１】
2020186918.tif 000017